(57)【要約】【課題】キャップの開封を容易にすること、特に力の弱い女性・子供・高齢者に取って、弱い力でも開封を容易すること【解決手段】下方が開口した台形円筒筒状のキャップ本体と、キャップ本体の外周に位置する外周把持リングとで構成された口部閉栓用キャップである。外周把持リングは、円形状、多角形状又は花びら等の模様形状のものを用いるキャップ本体を開封・閉封しやすい。キャップ本体と外周リングとは連結部により接続し、或いは、当該連結部は、放射状であり、又はＳ字状等曲線状であると好適である。また、下方が開口した台形円筒筒状のキャップ本体と、キャップ本体の外周に位置する外周把持リングと、口部が開口しキャップ本体により開閉封するスパウトと、スパウトを貼着する袋容器をさらに提案する。【選択図】図３
2010001069.tif 000002
【特許請求の範囲】
【請求項１】
下方が開口した台形円筒筒状のキャップ本体と、キャップ本体の外周に位置する外周把持リングとで構成されたことを特徴とする口部閉栓用キャップ。
【請求項２】
前記外周把持リングは、円形状、多角形状又は花びら等の模様形状からなる請求項１記載の口部閉栓用キャップ。
【請求項３】
前記キャップ本体と前記外周リングとは連結部により接続した請求項１記載の口部閉栓用キャップ。
【請求項４】
前記キャップ本体と前記外周リングの前記連結部は、放射状であり、又はＳ字状等曲線状である請求項３記載の口部閉栓用キャップ。
【請求項５】
前記連結部及び前記外周リングの上端を、前記キャップ本体天面より下方に設けた請求項４記載の口部閉栓用キャップ。
【請求項６】
前記外周リングの下端を起点とし上方に向けて前記連結部を設けた請求項３記載の口部閉栓用キャップ。
【請求項７】
前記キャップ本体の雌ネジ部を前記連結部より上方に設けた請求項３記載の口部閉栓用キャップ。
【請求項８】
前記キャップ本体にローレットを設けたことを特徴とする請求項１記載の口部閉栓用キャップ。
【請求項９】
前記外周リングにローレットを設けたことを特徴とする請求項１記載の口部閉栓用キャップ。
【請求項１０】
前記外周リングの外周に開封方向の表示手段を設けた請求項１記載の口部閉栓用キャップ。
【請求項１１】
前記キャップ本体と前記連結部材を介してピルファープルーフバンドを接続したことを特徴とする請求項１記載の口部閉栓用キャップ。
【請求項１２】
下方が開口した台形円筒筒状のキャップ本体と、キャップ本体の外周に位置する外周把持リングと、口部が開口しキャップ本体により開閉封するスパウトと、スパウトを貼着する袋容器とからなるスパウト付き袋容器。
【発明の詳細な説明】
【技術分野】
【０００１】
本発明は、例えば、筒状の口部とキャップと口部の下方に連設する接着部とからなるスパウトと、接着部に固着する袋容器（パウチ）とから構成されるスパウト付き袋容器のスパウト等に使用される口部閉栓用キャップに関するものである。
【背景技術】
【０００２】
従来、自立性袋、ガゼット型袋、その他の袋等の種々の形態からなるプラスチック性軟包装用袋容器が開発され、例えば、ジュース類、果汁類、ゼリー状飲料、栄養ドリンク剤等の飲料品や、調味料、その他種々の飲食品を充填包装した袋容器が販売されている。
【０００３】
特に近年、これらの袋容器は、その開封を容易にし、かつ、内容物の飲料を容易に、あるいは、内容物を注ぎやすくするために、袋容器の上部に注出口（スパウト）を取り付けてなる注出口（スパウト）付き袋容器が提案されている。
【０００４】
ところで、出願人は、特許文献１を提案しているが、当該文献図１などに使用されているスパウトのキャップは、小さな円筒筒状であり、しかもスパウト自体が小さいために、それと比例するようにキャップの外形円周も小さなサイズになっていた。
【０００５】
更に、特許文献２では、天板の周縁外周ローレットが形成された筒体を設けてなるキャップ本体と、このキャップ本体の筒体端部に破断可能な複数のブリッジを介して連なるリング体とを有して、容器の口部に装着して容器を密封するものであり、キャップ本体の筒体外周面上方にローレット部を露出した状態で筒体外周面に開栓用すべり止めを設けることで、容器に内容物を充填した後、閉栓用すべり止めで口部に易開栓型キャップを機械的に装着し、消費時に開栓用すべり止めに手指をかけて易開栓型キャップを開栓方向に回せば、手指の力がそのまま伝わり、キャップ本体とリング体とに連なるブリッジ５を容易に破断できる構成を提案している。
【０００６】
この発明によれば、容器内に内容物を充填したあと、閉栓用すべり止め（ローレット）を利用して容器の口部に易開栓型キャップを機械的に装着する機能を保持しながら、消費時には開栓用すべり止めに手指をかけて易開栓型キャップを開栓方向に回せば、手指の力がそのまま伝わり開栓を容易に行うことができるので、消費段階における最終ユーザーが力の弱い子供や老人、女性であっても開栓が容易であることに加え、工業的な生産体系における閉栓も極めて容易にすることができる効果とする。
【特許文献１】特開２００７−１０６４９８号公報
【特許文献２】特開２００４−１９６３８３号公報
【発明の開示】
【発明が解決しようとする課題】
【０００７】
しかしながら、特許文献１のものは、スパウトのキャップが小さいために、手先が器用でない人、手の力が弱い女性・子供・高齢者、麻酔残存が残る自宅療養が必要な患者等にとってはキャップの開封時に開け難いという欠点があった。
【０００８】
特許文献２もキャップ本体の筒体外周面上方にローレット部を露出した状態で筒体外周面に開栓用すべり止めを設けており、キャップの開封が容易になる構成であるが、開栓用すべり止めにより開封時に力の伝達が着実に出来る利点はあるが、開封する時の力が少なくて済むような構成ではなく、従って特に力が弱い女性・子供・高齢者にとっては、開封する時の力が無くても、簡単に開封できるような構成ではなかった。
【０００９】
本発明は、キャップの開封を容易にすること、特に力の弱い女性・子供・高齢者に取って、弱い力でも開封を容易することを目的としたものである。
【課題を解決するための手段】
【００１０】
上記課題を解決するため、本発明の構成は、下方が開口した台形円筒筒状のキャップ本体と、キャップ本体の外周に位置する外周把持リングとで構成されたことを特徴とする口部閉栓用キャップである。
【００１１】
外周把持リングは、円形状、多角形状又は花びら等の模様形状のものを用いるキャップ本体を開封・閉封しやすい。
キャップ本体と外周リングとは連結部により接続し、或いは、当該連結部は、放射状であり、又はＳ字状等曲線状であると好適である。
【００１２】
更に連結部及び外周リングの上端を、キャップ本体天面より下方に設ける。
外周リングの下端を起点とし上方に向けて前記連結部を設けるとよい。
キャップ本体の雌ネジ部を連結部より上方に設けると良い。
【００１３】
キャップ本体にローレットを設け、又は外周リングにローレットを設ける。
外周リングの外周に開封方向の表示手段を設けると良い。
キャップ本体と連結部材を介してピルファープルーフバンドを接続すると更に良い。
【００１４】
また、もう一つの本発明は、下方が開口した台形円筒筒状のキャップ本体と、キャップ本体の外周に位置する外周把持リングと、口部が開口しキャップ本体により開閉封するスパウトと、スパウトを貼着する袋容器である。
【発明の効果】
【００１５】
本発明の請求項１、２の構成はキャップ本体の外周より大きい外周リングを設けたので、開封時にキャップを掴みやすく、開封する時の力が少なくて済み、従って特に力が弱い女性・子供・高齢者にとっては、開封する時の力が無くても、簡単に開封できる。
【００１６】
本発明の請求項３、４の構成はキャップ本体と外周リングの連結部で接続され、しかも放射状又は曲線状であるので、キャップ本体と連結部が開口しており、ゴミがたまらない。又射出成型樹脂の量が節約できる。更に射出成型時にキャップ本体の開口が変形しにくい。
【００１７】
本発明の請求項５は、これにより製造工程におけるキャッピングマシンによりキャップ本体３０を掴むことができる。
本発明の請求項６は、前記外周リングの下端を起点とし上方に向けて前記連結部を設けたので、キャッピングマシンでキャップを更に掴みやすく、また前記外周リングの下方に例えば、ピルファープルーフバンドを接続できる。
【００１８】
本発明の請求項７の構成は、連結部をキャップ本体の雌ネジ部より下方に設けたので、キャップ本体の射出成型時に、金型から雄型が離型するときに、外周リングの連結部を設けたことでキャップ本体の下端の開口部について前記離型時にめくれることを防止でき、併せて、キャップ本体の雌ネジ部を連結部より上方に設けたので、雌ネジ部の部分でキャップ本体が外方に拡がることが可能であり、キャップ本体を雄型から円滑に離型できる。
【００１９】
本発明の請求項８は、これにより製造工程におけるキャッピングマシンによりキャップ本体３０を掴むことが確実に出来る。
本発明の請求項９は、開封時にキャップをより掴みやすくなる。
【００２０】
本発明の請求項１０の構成は、外周リングの外周に開封方向の表示手段を設けたので、開封方向を使用者が誤認することが無い。
本発明の請求項１１の構成は、この構成により、消費者は、商品購入時にキャップ本体とピルファープルーフバンドが分離したものは、事前に不正開封されたものと認識でき、内容物を購入の際に消費者が識別できる。
【００２１】
本発明の請求項１２の構成は、下方が開口した台形円筒筒状のキャップ本体と、キャップ本体の外周に位置する外周把持リングと、口部が開口しキャップ本体により開閉封するスパウトと、スパウトを貼着する袋容器であるので、製造工程におけるキャッピングマシンによりキャップ本体を掴み易い。又、消費者が使用時にも外周把持リングによりキャップ本体を掴み易い。
【発明を実施するための最良の形態】
【００２２】
本発明に係るキャップ１を備えたスパウト付き袋容器２０は、図１に示すように、袋容器３（パウチ）と、この袋容器３の内部から外部へと突出したスパウト２と、このスパウト２を開閉封するキャップ１とからなる。なお、より高いバリア性を有する内容物や、レトルト用のバリア付きスパウトにおいては、スパウト２先端に、初期開封時に剥離されるＰシールを貼着してもよい。
【００２３】
このスパウト２は、図２に示すように、袋容器３の外部に開口する口部５と（図１参照）、この口部５の下方に連接し袋容器３に貼着するための接着部６と、接着部６の下方に連結柱１０を設けたものである。
【００２４】
スパウト２は、口部５の外周には、キャップ１を螺着するための螺条９を設け、口部５と接着部６との間には、スパウト２と、袋容器３とを貼着する際、スパウト１を把持し搬送するために必要な複数枚のフランジ４とを設けた構造からなる。また、接着部６の下方には、４本の連結柱１０Ｕが設けられ、４本の連結柱１０Ｕはその下部で断面十字形状の閉塞防止リブ１０Ｒに接合しており、この４本の連結柱１０Ｕの空間を通って、内容物が充填され、或いは口部５より吸引されて、内容物が良好に取出されるのである。
【００２５】
なお本発明は、前記のスパウト２は袋容器３に貼着するための接着部６を有しているが、スパウトと袋容器の貼着はこのような接着部６を設ける方法に限らず、色々な方法がある。本発明は、スパウト２と袋容器３の貼着の方法には必ずしも限定されないものであり、本発明の特徴はキャップ１にある。
【００２６】
次に、袋容器３の一例について図９で説明すると、かかる袋容器３として、種々の形態からなるプラスチック性軟包装用袋を使用することができ、一枚のシートを内側に折り込んでなる２つの左右両側面（１６、１７）と、１枚のシートからなる、前面１４および底面１８の一部と、一枚のシートからなる、背面１５および底面１８の一部との、それぞれの接合部ｈをヒートシールして、ガゼット型袋容器３を形成する。そして、上部の開口部１１よりスパウト１を挿入した後、スパウト１の接着部６と、開口部１１の接合部ｈと、をヒートシールすることによりスパウト付き袋容器２０を形成する。
【００２７】
本発明のスパウト２のキャップ１は、図３に図示されているように、下方が開口した台形円筒筒状のキャップ本体３０と、キャップ本体３０に放射状の連結部５０（図４参照）により接続しており、キャップ本体３０の底部外周に位置する外周リング４０と、キャップ本体３０と連結部材６２を介して接続しているピルファープルーフバンド６０で構成されている。
【００２８】
このように、連結部５０が放射状であるので、キャップ本体３０と外周リング４０の間は開口空間がある。
なおキャップ本体３０の連結部５０の構成は上記に限定されず、放射状ではなく、キャップ本体３０と外周リング４０との空間を埋めるものであっても良い。
【００２９】
図３に図示されているようにキャップ本体３０は、下方が開口した台形円筒筒状であるが、天面部から下部にかけての側面外周全周をキャッピング用のローレット３２がひだ状に覆っている。これにより製造工程におけるキャッピングマシンによりキャップ本体３０を掴み易い。又、消費者が使用時にもキャップ本体３０を掴み易くなっているが、通常は消費者はより小さな力で開封できる外周リング４０を掴めば小さな力でも開封が容易で、しかもキャップ本体３０より外周リング４０の方が外周が大きく、より掴みやすい構成になっている。
【００３０】
なお、天面部の円周縁部内側にもローレット３２が設けられているが、天面を掴んだ時にも、引っかかりが出来掴みやすいという特徴があり、前述したキャッピングマシンのヘッドが、ローレット３２に係合しやすいという特徴がある。
【００３１】
又図５に図示されているように、キャップ本体３０の内側には、雌ネジ部３４が設けられており、スパウト２の外周に設けられた螺条９と螺合することにより、キャップ本体３０を回動してスパウト２の外周に固定して、スパウト２の口部５を閉鎖したり、逆に開口して、キャップ本体１とスパウト２を分離することが出来る。
【００３２】
図４で図示されているように、外周リング４０は、連結部５０はそれぞれ６０度離れた、６本の部材が放射状に設けられており、連結部５０は、キャップ本体３０の雌ネジ部３４の下端３４ｄより下方に位置している（図５参照）。連結部５０の形状は直角三角形の形状であり、機能的に筋交的な機能を果たしており、連結部５０のたわみ防止にも役立っている。
【００３３】
以上のような構成を取っているので、キャップ本体３０の射出成型時に、外周リング４０の連結部５０が下方にあることにより、金型から雄型が離型するときに、外周リングの連結部５０を設けたことでキャップ本体３０の下端の開口部について前記離型時に、該開口部の外へ拡がり難く、開口部のめくれを防止でき、併せて、キャップ本体３０の雌ネジ部３４を連結部５０より上方に設けたので、雌ネジ部３４の部分でキャップ本体３０が外方に拡がることが可能であり、キャップ本体を雄型から円滑に離型できる。
【００３４】
なお、連結部５０と雌ネジ部３４を上下の差無く設けた場合には、金型から雄型が離型するときに、連結部５０で、キャップ本体３０が外に拡がり難いので、雌ネジ部３４の金型からの離型が困難である。
【００３５】
又、連結部５０はそれぞれ６０度離れた、放射状の６本の部材よりなっているので、キャップ本体３０と外周リング４０には隙間（開口空間）が開いており、この間にゴミが溜まるということが無い。なお、本実施例は、連結部が６本の部材よりなっているが、これに限定されず２本以上の部材であれば前記の効果を奏する。
【００３６】
又、連結部５０はそれぞれ６０度離れた、放射状の６本の部材のものを実施例として記載したが、放射状であって、かつ渦巻きのようにキャップ本体３０の周面に対して鋭角状に接続したものでも良い。また連結部５０は必ずしも平面視直線状である必要は無く、曲線状のものであっても良い。曲線状とはＳ字状のものでも良い。
【００３７】
外周リング４０は、その側面周辺は全体に、断面半円形状の縦縞４２（小さなローレット状）が施されており、キャップの開封時の回転時に手が滑るのを防止できる。
更に製造工程におけるキャッピングマシンによりキャップ本体３０を掴み易い。外周リング４０の下部には矢印４４が施されており、開封方向を示している（図３参照）。
【００３８】
なお、外周リング４０の高さは５ｍｍ以上好ましくは８ｍｍ以上とする好適である。又、この開封方向表示手段は必ずしも矢印に限定されず、要は外部から開封方向が認識できれば良い。
【００３９】
又外周リングのリング状であり、その直径は１８ｍｍから６０ｍｍ程度であり、好ましくは、２０ｍｍ以上３０ｍｍ以下が好適である。
なお、実際の市場に出回っているキャップのついて市場調査したところ、キャップの径が２４ｍｍから１７ｍｍの間が開閉し易く、更にローレットを使用したものは、使用時に手触りがよく評判が良いことが分かった。又キャップの形状では円形状のキャップが使い易いという評価を得た。
【００４０】
図５に図示したようにキャップ本体３０の下方にはピルファープルーフバンド６０が設けられており、キャップ本体３０とピルファープルーフバンド６０の間は、連結部材６２により、接続されている。連結部材６２の詳細は図８（ａ）に図示されている。
【００４１】
この連結部材は、具体的には破断可能な薄肉ツナギが使用される。
そして、キャップ本体３０を開封するときは、ピルファープルーフバンド６０のラチェット６６が、スパウト２の外周に設けられた逆ラチェット８と係合し、なおもキャップ本体３０を回転することにより、ラチェット６６と逆ラチェット８の係合は開放されないが、キャップ本体３０の回転力により、連結部材６２に回転力がかかり、連結部材６２の連結部分６２Ｒの連結が破壊され（図８（ａ））、キャップ本体３０は開封方向に回転するが、ピルファープルーフバンド６０はラチェット６６と逆ラチェット８の係合は開放されないままに、放置されて、キャップ本体３０とピルファープルーフバンド６０は分離する。この構成により、消費者は、商品購入時にキャップ本体３０とピルファープルーフバンド６０が分離したものは、事前に不正開封されたものと認識でき、内容物を購入の際に消費者が識別できるのである。
【００４２】
なお、開封時のラチェット６６と逆ラチェット８の係合は、キャップ本体３０とピルファープルーフバンド６０が分離することにより、ピルファープルーフバンド６０が、フリーの状態になり、スパウトの外周が下方に向かって小さくなっているので、下方に小幅に落下する。これにより、ラチェット６６と逆ラチェット８の係合は解放される。
【００４３】
なお、分離したファープルーフバンド６０は、凸部材６８が終端に設けられているために、スパウト本体に抜け止め部材７０が設けられており、凸部部材６８の内周が抜け止め部材７０の外周より小さいために、上方に抜け落ちることはない。
【００４４】
キャップ本体３０とピルファープルーフバンド６０の間には、更にそれぞれ台形状の台座部材が設けられており、キャップ本体３０の上台座部材６４Ｕとピルファープルーフバンド６０側の下台座部材６４Ｄとに分かれて設けられている。この上下台座部材６４Ｕと６４Ｄは、破断可能な薄肉ツナギで形成された連結部のみでキャップ本体３０とピルファープルーフバンド６０が繋がっているために、製造工程で、キャップ本体３を閉栓する場合に、その閉栓の回転力により、キャップ本体３０とピルファープルーフバンド６０の繋がりが切れることが無いように、キャップ１の閉栓の際にキャップ本体３０の回転にピルファープルーフバンド６０が随動するために設けられたものである。
【００４５】
図３乃至図６に図示されてように、キャップ本体３０には、外周リング４０が連結部５０を介して接続されており、外周リング４０の平面視の形状はリング状である。しかし本発明は外周リング４０の形状は、リング状に限定されず、三角形状、四角形状、六角形等の多角形状であっても良い。又多角形状には限定されず、花びら形状、星型形状等の模様形状でも良い（図１０の内、図１０（ａ）は三角形状、図１０（ｂ）は四角形状、図１０（ｃ）は六角形状、図１０（ｄ）は花びら形状、図１０（ｅ）は星型形状である。）。
【００４６】
なお、スパウト２やキャップ本体１の材料には、従来用いられる材料を適宜使用すればよく、例えば、低密度ポリエチレン樹脂、中密度ポリエチレン樹脂、高密度ポリエチレン樹脂、直鎖状低密度ポリエチレン樹脂、ポリスチレン樹脂、アイオノマー樹脂、ポリプロピレン樹脂、アクリル樹脂、ナイロン樹脂、ポリエステル系樹脂、ポリカーボネート樹脂等の樹脂を挙げることができる。
【００４７】
本発明は、開封性の良いスパウト等のキャップを提供するものであるが、以上の実施例に限定される事はなく、本発明の目的の範囲内であれば、適宜設計変更したものでも本発明に含まれるものである。特にスパウト及びキャップの形状は様々であり、外周リング４０の形状が実用性のある範囲である限り、スパウト及びキャップの大小は問わない。
【図面の簡単な説明】
【００４８】
【図１】本発明のスパウト付き袋容器２０の外観斜視図である。
【図２】本発明のスパウト２の斜視図である。
【図３】本発明のキャップ１の正面図である。
【図４】図３の平面図である。
【図５】図３の断面図である。
【図６】図５にスパウト２の断面を加えた断面図である。
【図７】本発明のピルファープルーフバンド６０の台座の接続関係を示す説明断面図である。
【図８】（ａ）は図７のａ-ａ断面図、（ｂ）は図７のｂ-ｂ断面図である。
【図９】本発明の袋容器２０とスパウト２との関係を示した概略図である。
【図１０】本発明の外周リングの別の実施例を示すものであり、外周リング４０の平面図の形状を示すものであり、（ａ）は三角形状、（ｂ）は四角形状、（ｃ）は六角形状、（ｄ）は花びら形状、（ｅ）は星型形状である。
【符号の説明】
【００４９】
１  キャップ
２  スパウト
３  袋容器（パウチ）
４  フランジ
５  口部
６  接着部
８  逆ラチェット
９    螺条
１０Ｕ  連結柱
１０Ｒ  閉塞防止リブ
１１  開口部（袋容器３）
２０  スパウト付き袋容器
３０  キャップ本体
３２  ローレット
３４  雌ネジ部
３４ｄ  下端
４０  外周リング
４２  縦縞
４４  矢印
５０  連結部
６０  ピルファープルーフバンド
６２  連結部材
６２Ｒ  連結部分
６４Ｕ  上台座部材
６４Ｄ  下台座部材
６６  ラチェット
６８  凸部材
７０  抜け止め部材
【図１】
2010001069.tif 000003
【図２】
2010001069.tif 000004
【図３】
2010001069.tif 000005
【図４】
2010001069.tif 000006
【図５】
2010001069.tif 000007
【図６】
2010001069.tif 000008
【図７】
2010001069.tif 000009
【図８】
2010001069.tif 000010
【図９】
2010001069.tif 000011
【図１０】
2010001069.tif 000012